(57)【要約】【課題】素材、形状およびデザインを選択可能であるとともに様々な音色を発揮可能であり、成形精度が良く、笛口部の強度も十分で、共鳴胴部内部を清潔に保つのが容易な気鳴楽器を提供する。【解決手段】オカリナ１は、空気そのものが振動して発音体となり音を発する気鳴楽器の一種であり、内部に空洞な共鳴空間が形成された共鳴胴部１１と、その先端部に奏者の口があてがわれる吹口１２ａを有する笛口部１２と、を備え、共鳴胴部１１と笛口部１２とが互いに分離可能に構成されている。共鳴胴部１１および笛口部１２の対向する面同士が互いに対応する形状になっており、共鳴胴部１１および笛口部１２の対向する面同士を合わせることで、共鳴胴部１１と笛口部１２とがオカリナ１として一体になり、共鳴胴部１１側の開口１１ｋと笛口部１２側の開口１２ｄとが連通するようになっている。【選択図】図１
0003182098.tif 000002
【実用新案登録請求の範囲】
【請求項１】
内部に空洞が形成され、内部と外部とを連通させる複数個の指孔がその周りに形成された共鳴胴部と、
筒状であり、呼気を吹き込むための吹口と前記吹口から前記共鳴胴部まで連通して前記吹口から吹き込まれた呼気を導く気道と前記気道に導かれた呼気を吹き出す歌口とを有する笛口部と、を備え、
前記共鳴胴部と前記笛口部とが互いに分離可能に構成されていること
を特徴とする気鳴楽器。
【請求項２】
請求項１に記載の気鳴楽器において、
前記共鳴胴部と前記笛口部との間に配置される台座を備えること
を特徴とする気鳴楽器。
【請求項３】
請求項２に記載の気鳴楽器において、
前記台座は、前記共鳴胴部に取り付けられる共鳴胴部側台座と、前記笛口部に取り付けられる笛口部側台座と、を有し、前記共鳴胴部側台座および前記笛口部側台座の対向する面同士が互いに対応する形状になっていること
を特徴とする気鳴楽器。
【請求項４】
請求項１〜請求項３の何れか１項に記載の気鳴楽器において、
前記共鳴胴部は複数部分に分割されて各々を分割部品となり、
さらに、前記分割部品同士の間に配置されるフレーム部材を備え、
前記分割部品および前記フレーム部材の対向する面同士が互いに対応する形状になっていること
を特徴とする気鳴楽器。
【請求項５】
請求項４に記載の気鳴楽器において、
前記笛口部と前記フレーム部材とが一体に構成されていること
を特徴とする気鳴楽器。
【考案の詳細な説明】
【技術分野】
【０００１】
本考案は、オカリナなどの気鳴楽器に関する。
【背景技術】
【０００２】
オカリナは、空気そのものが振動して発音体となり音を発する気鳴楽器の一種であり、内部に空洞な共鳴空間が形成された共鳴胴部と、共鳴胴部に一体に形成され、その先端部に奏者の口があてがわれる吹口を有する笛口部と、を備えている（特許文献１参照）。
【先行技術文献】
【特許文献】
【０００３】
【特許文献１】登録実用新案第３１４１１９４号公報
【考案の概要】
【考案が解決しようとする課題】
【０００４】
しかし、上述のようなオカリナなどの気鳴楽器においては、共鳴胴部および笛口部を一体化された陶磁器であることが多く、共鳴胴部および笛口部の素材や形状、デザインが画一的となりがちであり、且つ構造上単一の音色しか発揮できなかった。また、共鳴胴部および笛口部が一体化された陶磁器であるために共鳴胴部および笛口部の成形精度が良くなく、筒状の笛口部の強度も不十分になりがちであった。また、共鳴胴部内部の清掃が行いにくく、清潔に保つのが困難であった。
【０００５】
本考案は、このような不具合に鑑みなされたものであり、その目的とするところは、素材、形状およびデザインを選択可能であるとともに様々な音色を発揮可能であり、成形精度が良く、内部に空洞の強度も十分で、共鳴胴部内部を清潔に保つのが容易な気鳴楽器を提供することにある。
【課題を解決するための手段】
【０００６】
上記課題を解決するためになされた請求項１に係る気鳴楽器は、内部に空洞が形成され、内部と外部とを連通させる複数個の指孔がその周りに形成された共鳴胴部と、筒状であり、呼気を吹き込むための吹口と前記吹口から前記共鳴胴部まで連通して前記吹口から吹き込まれた呼気を導く気道と前記気道に導かれた呼気を吹き出す歌口とを有する笛口部と、を備え、前記共鳴胴部と前記笛口部とが互いに分離可能に構成されていることを特徴とする。
【０００７】
このように構成された本考案の気鳴楽器によれば、共鳴胴部と笛口部とが互いに分離可能に構成されていることにより、素材や形状、デザインなどを共鳴胴部と笛口部とで個別に選択することができて自由度が広がるとともに、これらの組合せによって様々な音色を発揮可能とすることができる。また、共鳴胴部と笛口部とを個別に製造可能となることから、これらの製造方法として樹脂成形や金属成形を選択可能となり、その成形精度を向上させることができる。また、笛口部を樹脂成形や金属成形によって製造することにより、従来のような共鳴胴部および笛口部が一体化された陶磁器である場合に比べてその強度を向上させることができる。また、従来のような共鳴胴部および笛口部が一体化されている場合にはその内部の清掃が行いにくく、清潔に保つことが困難であったが、本考案の気鳴楽器によれば、笛口部を分離した後の共鳴胴部の開口から共鳴胴部内部を清掃できるので、共鳴胴部内部を清潔に保つのが容易となる。
【０００８】
請求項２に係る気鳴楽器は、請求項１に記載の気鳴楽器において、前記共鳴胴部と前記笛口部との間に配置される台座を備えることを特徴とする。
このように構成された本考案の気鳴楽器によれば、台座を用いて共鳴胴部と笛口部との密着度を高め、共鳴胴部と笛口部との間からの空気漏れを防止することができる。
【０００９】
請求項３に係る気鳴楽器は、請求項２に記載の気鳴楽器において、前記台座は、前記共鳴胴部に取り付けられる共鳴胴部側台座と、前記笛口部に取り付けられる笛口部側台座と、を有し、前記共鳴胴部側台座および前記笛口部側台座の対向する面同士が互いに対応する形状になっていることを特徴とする。
【００１０】
このように構成された本考案の気鳴楽器によれば、共鳴胴部側台座および笛口部側台座を用いて共鳴胴部と笛口部との密着度を更に高めることができる。
請求項４に係る気鳴楽器は、請求項１〜請求項３の何れか１項に記載の気鳴楽器において、前記共鳴胴部は複数部分に分割されて各々を分割部品となり、前記笛口部は、前記分割部品同士の間に配置される環状のフレーム部材を備えることを特徴とする。
【００１１】
このように構成された本考案の気鳴楽器によれば、共鳴胴部を例えばシェル状の二枚のパーツにするなど、各分割部品ごとの製造方法が鋳造や鍛造、削り出しなどと飛躍的に広がり、木質、ガラス、金属、樹脂など音色やデザインの可能性も増大する。また、各分割部品ごとにサンドブラストやルーター、切子、レリーフ、煉りこみ、ペイントなど様々な加工が可能となる。また、ガラスなどの透過性素材の場合には、内側からの加工も可能となる。そして、上述のように、素材、加工法、デザインなどの選択肢が増えることで、商品性も更に高まる。
【００１２】
請求項５に係る気鳴楽器は、請求項４に記載の気鳴楽器において、前記笛口部と前記フレーム部材とが一体に構成されていることを特徴とする。
このように構成された本考案の気鳴楽器によれば、笛口部とフレーム部材とを一体に構成することで、部品点数を低減することができる。また、笛口部を把持しながらフレーム部材に対する分割部品の着脱を行うことができ、作業性が向上する。
【図面の簡単な説明】
【００１３】
【図１】（ａ）はオカリナ１の正面図であり、（ｂ）はオカリナ１の共鳴胴部と笛口部とを分離した状態を示す斜視図である。
【図２】（ａ）はオカリナ２の正面図であり、（ｂ）はオカリナ２の側面図であり、（ｃ）はオカリナ２の背面図であり、（ｄ）はオカリナ２の共鳴胴部と笛口部とを分離した状態を示す背面図である。
【図３】（ａ）はオカリナ２の共鳴胴部および笛口部の取付構造を示す部分断面図であり、（ｂ）はオカリナ２の笛口部の正面図であり、（ｃ）はオカリナ２の笛口部の背面図であり、（ｄ）はオカリナ２の笛口部の側面図である。
【図４】（ａ）はオカリナ３の正面図であり、（ｂ）はオカリナ３の共鳴胴部の背面図であり、（ｃ）はオカリナ３の共鳴胴部と笛口部とを分離した状態を示す背面図であり、（ｄ）はオカリナ３の背面図である。
【図５】（ａ）はオカリナ４の笛口部の正面図であり、（ｂ）はオカリナ４の共鳴胴部と笛口部とを分離した状態を示す正面図である。
【考案を実施するための形態】
【００１４】
以下に本考案の実施形態を図面とともに説明する。なお、本考案は下記実施形態に限定されるものではなく、様々な態様にて実施することが可能である。
［第一実施形態］
図１（ａ）に示すオカリナ１は、空気そのものが振動して発音体となり音を発する気鳴楽器の一種であり、内部に空洞な共鳴空間が形成された共鳴胴部１１と、その先端部に奏者の口があてがわれる吹口１２ａを有する笛口部１２と、を備える。
【００１５】
共鳴胴部１１は、内部に空洞が形成され、内部と外部とを連通させる合計１０カ所の指孔１１ａ〜１１ｊがその周りに形成されている。各指孔１１ａ〜１１ｊの内、指孔１１ａは「第１指孔」と呼ばれ、右手の小指によって操作される。また、指孔１１ｂは「第２指孔」と呼ばれ、右手の薬指によって操作される。また、指孔１１ｃは「第３指孔」と呼ばれ右手の中指によって操作される。また、指孔１１ｄは「第４指孔」と呼ばれ右手の人指し指によって操作される。また、指孔１１ｅは「第５指孔」と呼ばれ、左手の薬指によって操作される。また、指孔１１ｆは「第６指孔」と呼ばれ、左手の中指によって操作される。また、指孔１１ｇは「第７指孔」と呼ばれ、左手の人指し指によって操作される。また、指孔１１ｈは「第８指孔」と呼ばれ、左手の親指によって操作される。また、指孔１１ｉは「第９指孔」と呼ばれ、右手の親指によって操作される。また、指孔１１ｊは「第１０指孔」と呼ばれ、左手の小指によって操作される。
【００１６】
笛口部１２は、筒状であり、呼気を吹き込むための吹口１２ａと吹口１２ａから共鳴胴部１１まで連通して吹口１２ａから吹き込まれた呼気を導く気道１２ｂと気道１２ｂに導かれた呼気を吹き出す歌口１２ｃとを有する（図１（ｂ）参照）。
【００１７】
また、オカリナ１は、共鳴胴部１１と笛口部１２とが互いに分離可能に構成されている（図１（ｂ）参照）。なお、共鳴胴部１１および笛口部１２の対向する面同士が互いに対応する形状になっており、共鳴胴部１１および笛口部１２の対向する面同士を合わせることで、共鳴胴部１１と笛口部１２とがオカリナ１として一体になり、共鳴胴部１１側の開口１１ｋと笛口部１２側の開口１２ｄとが連通するようになっている。
【００１８】
なお、本実施形態においては、共鳴胴部１１および笛口部１２はそれぞれ陶磁器であるが、オカリナ１としての基本形態を備えていれば、合成樹脂や金属などその材質や形状は任意である。また、オカリナ１の大きさは音域によって異なり、最も一般的な大きさであるＭＣ（ミドルＣ調管）や、Ｇ調管、Ｆ調管などが挙げられる。
【００１９】
以上のように構成されたオカリナ１は、奏者がオカリナの共鳴胴部１１を両手で支えて笛口部１２の吹口１２ａから息を吹き込むと、その呼気が笛口部１２の気道１２ｂを経て歌口１２ｃから外部に出ていく際に振動が発生し、その発生した振動が共鳴胴部１１内に空洞共振を起こすことによって音を発する。その際、奏者が１０カ所の指孔１１ａ〜１１ｊを指で塞ぐ組み合わせにより、共鳴胴部１１の空洞共振の周波数が変化し、その空洞共振の周波数に応じて共鳴胴部１１が発する音の音高が変化する。
【００２０】
本実施形態のオカリナ１によれば、共鳴胴部１１と笛口部１２とが互いに分離可能に構成されていることにより、素材や形状、デザインなどを共鳴胴部１１と笛口部１２とで個別に選択することができて自由度が広がるとともに、これらの組合せによって様々な音色を発揮可能とすることができる。また、共鳴胴部１１と笛口部１２とを個別に製造可能となることから、これらの製造方法として樹脂成形や金属成形を選択可能となり、その成形精度を向上させることができる。また、笛口部１２を樹脂成形や金属成形によって製造することにより、従来のような粘土の焼き物である場合に比べてその強度を向上させることができる。また、従来のような共鳴胴部１１および笛口部１２が一体化されている場合にはその内部の清掃が行いにくく、清潔に保つことが困難であったが、本実施形態のオカリナ１によれば、笛口部１２を分離した後の共鳴胴部１１の開口から共鳴胴部１１内部を清掃できるので、共鳴胴部１１内部を清潔に保つのが容易となる。
［第二実施形態］
図２に示すオカリナ２は、内部に空洞な共鳴空間が形成された共鳴胴部２１と、その先端部に奏者の口があてがわれる吹口２２ａを有する笛口部２２と、共鳴胴部２１と笛口部２２との間に配置される円環状の台座２３と、を備える。
【００２１】
共鳴胴部２１は、内部に空洞が形成され、内部と外部とを連通させる合計１０カ所の指孔２１ａ〜２１ｊがその周りに形成されている。
笛口部２２は、筒状であり、呼気を吹き込むための吹口２２ａと吹口２２ａから共鳴胴部２１まで連通して吹口２２ａから吹き込まれた呼気を導く気道２２ｂと気道２２ｂに導かれた呼気を吹き出す歌口２２ｃとを有する（図３（ｂ）〜（ｃ）参照）。
【００２２】
台座２３については、共鳴胴部２１および当該台座２３の対向する面同士が互いに対応する形状になっており、笛口部２２および当該台座２３の対向する面同士が互いに対応する形状になっている。そして、共鳴胴部２１と笛口部２２との間に台座２３を配置することにより、共鳴胴部２１と笛口部２２とが台座２３を介してオカリナ２として一体になり、共鳴胴部２１側の開口２１ｋと笛口部２２側の開口２２ｄとが連通するようになっている。
【００２３】
なお、本実施形態においては、共鳴胴部２１は陶磁器であり、笛口部２２は金属製であり、台座２３は金属製であるが、オカリナ２としての基本形態を備えていれば、その材質や形状は任意である。
【００２４】
また、図３（ａ）に例示するように、台座２３の代わりに、共鳴胴部２１に取り付けられる円環状の共鳴胴部側台座２４と、笛口部２２に取り付けられる円環状の笛口部側台座２５を備えるようにしてもよい。このうちの共鳴胴部側台座２４は金属製であり、共鳴胴部２１および当該共鳴胴部側台座２４の対向する面同士が互いに対応する形状になっており、共鳴胴部２１に接着によって固定されている。また、笛口部側台座２５は金属製であり、笛口部２２および当該笛口部側台座２５の対向する面同士が互いに対応する形状になっており、笛口部２２に接着によって固定されている。さらに、共鳴胴部側台座２４および笛口部側台座２５の対向する面同士が互いに対応する形状になっており、共鳴胴部側台座２４と笛口部側台座２５とを合わせることにより、共鳴胴部２１と笛口部２２とが共鳴胴部側台座２４および笛口部側台座２５を介してオカリナ２として一体になり、共鳴胴部２１側の開口２１ｋと笛口部２２側の開口２２ｄとが連通するようになっている。この場合、笛口部２２は、共鳴胴部２１に対してネジ止めされる。
【００２５】
本実施形態のオカリナ２によれば、台座２３あるいは共鳴胴部側台座２４と笛口部側台座２５を用いて共鳴胴部２１と笛口部２２との密着度を高め、共鳴胴部２１と笛口部２２との間からの空気漏れを防止することができる。
［第三実施形態］
図４に示すオカリナ３は、内部に空洞な共鳴空間が形成された共鳴胴部３１と、その先端部に奏者の口があてがわれる吹口３２ａを有する笛口部３２と、共鳴胴部３１と笛口部３２との間に配置される円環状の台座３３と、を備える。
【００２６】
共鳴胴部３１は、内部に空洞が形成され、内部と外部とを連通させる合計１０カ所の指孔３１ａ〜３１ｊがその周りに形成されている。
笛口部３２は、筒状であり、呼気を吹き込むための吹口３２ａと吹口３２ａから共鳴胴部３１まで連通して吹口３２ａから吹き込まれた呼気を導く気道３２ｂと気道３２ｂに導かれた呼気を吹き出す歌口３２ｃとを有する。
【００２７】
台座３３は、共鳴胴部３１および当該台座３３の対向する面同士が互いに対応する形状になっており、共鳴胴部３１に接着によって固定されている。さらに、笛口部３２および台座３３の対向する面同士が互いに対応する形状になっており、笛口部３２と台座３３とを合わせることにより、共鳴胴部３１と笛口部３２とが台座３３を介してオカリナ３として一体になり、共鳴胴部３１側の開口３１ｋと笛口部３２側の開口３２ｄとが連通するようになっている。
【００２８】
なお、本実施形態においては、共鳴胴部３１は陶磁器であり、笛口部３２は金属製であり、台座３３は金属製であるが、オカリナ２としての基本形態を備えていれば、その材質や形状は任意である。
【００２９】
本実施形態のオカリナ３によれば、台座３３を用いて共鳴胴部３１と笛口部３２との密着度を高め、共鳴胴部３１と笛口部３２との間からの空気漏れを防止することができる。
［第四実施形態］
図５に示すオカリナ４は、内部に空洞な共鳴空間が形成された共鳴胴部４１と、その先端部に奏者の口があてがわれる吹口４２ａを有する笛口部４２と、を備える。
【００３０】
共鳴胴部４１は、内部に空洞が形成されており、シェル状の二つの部分に分割されて各々を分割部品４３，４４とし、分割部品４３，４４同士の間に環状のフレーム部材４５を配置した構成を有している。また、共鳴胴部４１は、内部と外部とを連通させる合計１０カ所の指孔４１ａ〜４１ｊがその周りに形成されている。
【００３１】
笛口部４２は、筒状であり、呼気を吹き込むための吹口４２ａと吹口４２ａから共鳴胴部４１まで連通して吹口４２ａから吹き込まれた呼気を導く気道４２ｂと気道４２ｂに導かれた呼気を吹き出す歌口４２ｃとを有する。
【００３２】
また、笛口部４２とフレーム部材４５とが一体に構成されており、分割部品４３およびフレーム部材４５の対向する面同士が互いに対応する形状になっており、分割部品４４およびフレーム部材４５の対向する面同士が互いに対応する形状になっている。そして、分割部品４３と分割部品４４との間にフレーム部材４５を配置することにより、分割部品４３と分割部品４４とがフレーム部材４５を介して共鳴胴部４１として一体になっており、共鳴胴部４１側の開口４１ｋと笛口部４２側の開口４２ｄとが連通するようになっている。
【００３３】
なお、本実施形態においては、分割部品４３，４４は陶磁器であり、笛口部４２は金属製であり、フレーム部材４５は金属製であるが、オカリナ４としての基本形態を備えていれば、その材質や形状は任意である。
【００３４】
本実施形態のオカリナ４によれば、共鳴胴部４１を構成する各分割部品４３，４４ごとの製造方法が、鋳造、鍛造、削り出しなどと飛躍的に広がり、木質、ガラス、金属、樹脂など音色やデザインの可能性も増大する。また、各分割部品４３，４４ごとに、サンドブラスト、ルーター、切子、レリーフ、煉りこみ、ペイントなど様々な加工が可能となる。また、ガラスなどの透過性素材の場合には、内側からの加工も可能となる。そして、上述のように、素材、加工法、デザインなどの選択肢が増えることで、商品性も更に高まる。
【００３５】
また、本実施形態のオカリナ４によれば、笛口部４２とフレーム部材４５とを一体に構成することで、部品点数を低減することができる。また、笛口部４２を把持しながらフレーム部材４５に対する分割部品４３，４４の着脱を行うことができ、作業性が向上する。
【符号の説明】
【００３６】
１，２，３，４…オカリナ、
１１，２１，３１，４１…共鳴胴部、
１１ａ〜１１ｊ，２１ａ〜２１ｊ，３１ａ〜３１ｊ，４１ａ〜４１ｊ…指孔、
１１ｋ，２１ｋ，３１ｋ，４１ｋ…開口、
１２，２２，３２，４２…笛口部、
１２ａ，２２ａ，３２ａ，４２ａ…吹口、
１２ｂ，２２ｂ，３２ｂ，４２ｂ…気道、
１２ｃ，２２ｃ，３２ｃ，４２ｃ…歌口、
１２ｄ，２２ｄ，３２ｄ，４２ｄ…開口、
２３，３３…台座、
２４…共鳴胴部側台座、
２５…笛口部側台座、
４３，４４…分割部品、
４５…フレーム部材
【図１】
0003182098.tif 000003
【図２】
0003182098.tif 000004
【図３】
0003182098.tif 000005
【図４】
0003182098.tif 000006
【図５】
0003182098.tif 000007